(57)【要約】本発明は、受信中の放送番組で放送されたコンテンツに関連する関連情報を関連情報提供サーバＫＳへ要求し、関連情報提供サーバＫＳから要求に応じた関連情報を取得して記憶し、関連情報の一部をコンテンツの検索用の検索キーとしてＣＤ販売業者サーバ３１へ送信することにより当該ＣＤ販売業者サーバ３１から検索結果を得る検索ステップとを設けることにより、受信中の放送番組で放送されたコンテンツに関連する関連情報を取得し、その一部を検索キーとして用いてコンテンツ検索サーバで検索結果を得ることにより、検索結果がある程度想像のつく限られたものとなるのではなく多様性を持った検索結果を得ることが可能となる。
2005015794.tif 000002
【特許請求の範囲】
【請求項１】
受信中の放送番組で放送されたコンテンツに関連する関連情報を関連情報提供サーバへ要求する要求ステップと、
上記関連情報提供サーバから上記要求に応じた関連情報を取得して記憶手段に記憶する関連情報取得ステップと、
上記関連情報の一部を上記コンテンツの検索用の検索キーとしてコンテンツ検索サーバへ送信することにより上記コンテンツ検索サーバから検索結果を得る検索ステップと
を具えることを特徴とする通信方法。
【請求項２】
上記関連情報取得ステップでは、上記コンテンツを識別するためのコンテンツ識別情報を含む上記関連情報を上記関連情報提供サーバから取得し、上記検索ステップでは、上記関連情報の一部である上記コンテンツ識別情報を上記検索キーとして上記コンテンツ検索サーバへ送信する
ことを特徴とする請求の範囲第１項に記載の通信方法。
【請求項３】
上記関連情報取得ステップでは、上記コンテンツを放送する放送局を識別するための放送局識別情報を含む上記関連情報を上記関連情報提供サーバから取得し、上記検索ステップでは、上記関連情報の一部である上記放送局識別情報を上記検索キーとして上記コンテンツ検索サーバへ送信する
ことを特徴とする請求の範囲第１項に記載の通信方法。
【請求項４】
上記関連情報取得ステップでは、上記コンテンツが格納されている記録媒体の種類を示す媒体識別情報を含む上記関連情報を上記関連情報提供サーバから取得し、
上記検索ステップでは、上記関連情報の一部である上記媒体識別情報を上記検索キーとして上記コンテンツ検索サーバへ送信する
ことを特徴とする請求の範囲第１項に記載の通信方法。
【請求項５】
上記関連情報取得ステップでは、上記コンテンツの供給元を示す供給元識別情報を含む上記関連情報を上記関連情報提供サーバから取得し、上記検索ステップでは、上記関連情報の一部である上記供給元識別情報を上記検索キーとして上記コンテンツ検索サーバへ送信する
ことを特徴とする請求の範囲第１項に記載の通信方法。
【請求項６】
上記関連情報取得ステップで記憶した上記関連情報を共通のキーワードに基づいて階層構造に分けて表示する表示ステップ
を具えることを特徴とする請求の範囲第１項に記載の通信方法。
【請求項７】
受信中の放送番組で放送されたコンテンツに関連する関連情報を関連情報提供サーバへ要求する要求手段と、
上記関連情報提供サーバから上記要求に応じた関連情報を取得して記憶手段に記憶する関連情報取得手段と、
上記関連情報の一部を上記コンテンツの検索用の検索キーとしてコンテンツ検索サーバへ送信することにより上記コンテンツ検索サーバから検索結果を得る検索手段と
を具えることを特徴とする通信端末装置。
【請求項８】
情報処理装置に対して、
受信中の放送番組で放送されたコンテンツに関連する関連情報を関連情報提供サーバへ要求する要求ステップと、
上記関連情報提供サーバから上記要求に応じた関連情報を取得して記憶手段に記憶する関連情報取得ステップと、
上記関連情報の一部を上記コンテンツの検索用の検索キーとしてコンテンツ検索サーバへ送信することにより上記コンテンツ検索サーバから検索結果を得る検索ステップと
を実行させるための通信プログラム。
【請求項９】
第１のサーバは、
放送受信装置から、受信中の放送番組で放送されたコンテンツに関連する関連情報を要求する要求信号をユーザ情報とともに受信し、
上記ユーザ情報を認証し、
上記ユーザ情報の認証が許可されたときに、上記関連情報を上記放送受信装置に対して送信し、
第２のサーバは、
上記放送受信装置から、上記関連情報の一部である放送局識別情報を上記コンテンツの検索用の検索キーとして受信し、
上記検索キーに応じて記憶媒体内のデータベースから当該検索キーに対応する情報を検索し、検索結果として上記放送受信装置に送信する
ことを特徴とする通信方法。
【請求項１０】
上記第１のサーバは、
上記ユーザの認証が許可されなかったとき、上記放送受信装置に対して認証エラーを示す情報を返信し、
第３のサーバは、
上記放送受信装置から送信されるユーザ識別情報とパスワードに基づき認証処理し、上記放送受信装置とのセッションＩＤである認証セッションＩＤを発行して上記放送受信装置に送信し、
上記放送受信装置から送信される上記認証セッションＩＤと共に上記第１のサーバに対応するサービス識別情報を受信し、
上記受信された認証セッションＩＤを認証し、受信されたサービス識別情報に対応する認証チケットを発行して上記放送受信装置に返信し、
上記第１のサーバは、
上記放送受信装置から、受信中の放送番組で放送されたコンテンツに関連する関連情報を要求する要求信号を上記認証チケットと共に受信し、
上記認証チケットにより認証が許可されたとき、上記放送受信装置とのセッションＩＤであるサービスセッションＩＤを発行して上記放送受信装置に送信し、
上記放送受信装置から送信される上記関連情報を要求する要求信号をサービスセッションＩＤと共に受信する
ことを特徴とする請求の範囲第９項に記載の通信方法。
【請求項１１】
第１のサーバは、
放送受信装置から、受信中の放送番組で放送されたコンテンツに関連する関連情報を要求する要求信号をユーザ情報とともに受信する第１受信手段と、
上記ユーザ情報を認証する認証手段と、
上記ユーザ情報の認証が許可されたときに、上記関連情報を上記放送受信装置に対して送信する第１送信手段とを具え、
第２のサーバは、
上記放送受信装置から、上記関連情報の一部である上記放送局識別情報を上記コンテンツの検索用の検索キーとして受信する第２受信手段と、
上記検索キーに応じて記憶媒体内のデータベースから当該検索キーに対応する情報を検索し、検索結果として上記放送受信装置に送信する第２送信手段と
を具えることを特徴とする通信システム。
【請求項１２】
上記第１のサーバにおいて、
上記第１送信手段は、
上記ユーザの認証が許可されなかったとき、上記放送受信装置に対して認証エラーを示す情報を返信し、
更に、
第３のサーバが、
上記放送受信装置から送信されるユーザ識別情報とパスワードに基づき認証処理し、上記放送受信装置とのセッションＩＤである認証セッションＩＤを発行して上記放送受信装置に送信する認証送信手段と、
上記放送受信装置から送信される上記認証セッションＩＤと共に上記第１のサーバに対応するサービス識別情報を受信する第３受信手段とを具え、
上記認証送信手段は、
上記受信された認証セッションＩＤを認証し、受信されたサービス識別情報に対応する認証チケットを発行して上記放送受信装置に返信し、
上記第１のサーバにおいて、
上記第１受信手段は、
上記放送受信装置から、受信中の放送番組で放送されたコンテンツに関連する関連情報を要求する要求信号を上記認証チケットと共に受信し、
上記認証手段により、上記認証チケットにより認証が許可されたとき、上記第１送信手段は、上記放送受信装置とのセッションＩＤであるサービスセッションＩＤを発行して上記放送受信装置に送信し、
上記第１受信手段は、
上記放送受信装置から送信される上記関連情報を要求する要求信号をサービスセッションＩＤと共に受信する
ことを特徴とする請求の範囲第１１項に記載の通信システム。
【発明の詳細な説明】
【技術分野】  本発明は、通信方法に関し、例えば所望のコンテンツをコンテンツ検索サーバで検索する場合に適用して好適なものである。
【背景技術】  従来、いわゆるセットオーディオや単品コンポ等のオーディオステレオ再生システムや、ポータブルオーディオシステム、自動車に取り付けられたオーディオシステム等のラジオ受信機では、ラジオ局から放送される放送信号を受信して復調することにより、番組や楽曲をユーザに聴取させるようになされている。
一方、ラジオ局ではインターネットのホームページ上で各ラジオ局の番組に関する各種情報を公開しており、番組の放送と同時に、視聴者に対して番組の中で放送した楽曲のタイトル、アーティスト名等の楽曲情報を関連情報として提供する。
このように番組の聴取及び楽曲情報の取得を１台のシステムで同時に行うものとして、ラジオ受信機能及びインターネット接続機能を備えたクライアント端末としてのオーディオ再生装置が提案されている（例えば、特許文献１参照）。
このオーディオ再生装置では、ユーザが当該オーディオ再生装置を介して番組を聴取しながら、その番組の中で放送された楽曲のコンテンツをラジオ局から取得したり、当該楽曲のタイトル、アーティスト名等の楽曲情報を所定の関連情報提供サーバから取得し得るようになされている。
【特許文献１】特願２００３−２７４３０２。
またオーディオ再生装置は、関連情報提供サーバから取得した関連情報のうち例えばタイトル又はアーティスト名をＣＤ販売業者サーバへ送信し、当該ＣＤ販売業者サーバによってタイトル又はアーティスト名を基にＣＤを検索してもらい、その検索結果をＣＤ販売業者サーバから受信することができる。
ところで上述のオーディオ再生装置では、ＣＤ販売業者サーバへ送信する関連情報がタイトル、アーティスト名に限られているので、ＣＤ販売業者サーバによる検索結果がそのタイトルを有するＣＤや、同一アーティスト名のＣＤだけであって、その検索結果には多様性がなく、必ずしも所望のＣＤを検索できないという問題があった。
【発明の開示】
本発明は以上の点を考慮してなされたもので、関連情報に応じた多様性のある検索結果を容易に得ることが可能な通信方法を提案しようとするものである。
かかる課題を解決するため本発明の通信方法においては、受信中の放送番組で放送されたコンテンツに関連する関連情報を関連情報提供サーバへ要求する要求ステップと、関連情報提供サーバから要求に応じた関連情報を取得して記憶手段に記憶する関連情報取得ステップと、関連情報の一部をコンテンツの検索用の検索キーとしてコンテンツ検索サーバへ送信することにより当該コンテンツ検索サーバから検索結果を得る検索ステップとを設けるようにする。
受信中の放送番組で放送されたコンテンツに関連する関連情報を取得し、その一部を検索キーとして用いてコンテンツ検索サーバで検索結果を得ることにより、ある程度想像がつく限られたものではなく多様性を持った検索結果を得ることが可能となる。
また本発明の通信端末装置においては、受信中の放送番組で放送されたコンテンツに関連する関連情報を関連情報提供サーバへ要求する要求手段と、関連情報提供サーバから要求に応じた関連情報を取得して記憶手段に記憶する関連情報取得手段と、関連情報の一部をコンテンツの検索用の検索キーとしてコンテンツ検索サーバへ送信することによりコンテンツ検索サーバから検索結果を得る検索手段とを設けるようにする。
受信中の放送番組で放送されたコンテンツに関連する関連情報を取得し、その一部を検索キーとして用いてコンテンツ検索サーバで検索結果を得ることにより、ある程度想像がつく限られたものではなく多様性を持った検索結果を得ることが可能となる。
さらに本発明の通信プログラムにおいては、情報処理装置に対して、受信中の放送番組で放送されたコンテンツに関連する関連情報を関連情報提供サーバへ要求する要求ステップと、関連情報提供サーバから要求に応じた関連情報を取得して記憶手段に記憶する関連情報取得ステップと、関連情報の一部をコンテンツの検索用の検索キーとしてコンテンツ検索サーバへ送信することにより当該コンテンツ検索サーバから検索結果を得る検索ステップとを実行させるようにする。
受信中の放送番組で放送されたコンテンツに関連する関連情報を取得し、その一部を検索キーとして用いてコンテンツ検索サーバで検索結果を得ることにより、ある程度想像がつく限られたものではなく多様性を持った検索結果を得ることが可能となる。
さらに本発明の通信方法においては、第１のサーバは、放送受信装置から、受信中の放送番組で放送されたコンテンツに関連する関連情報を要求する要求信号をユーザ情報とともに受信し、ユーザ情報を認証し、ユーザ情報の認証が許可されたときに、関連情報を放送受信装置に対して送信し、第２のサーバは、放送受信装置から、関連情報の一部である放送局識別情報をコンテンツの検索用の検索キーとして受信し、検索キーに応じて記憶媒体内のデータベースから当該検索キーに対応する情報を検索し、検索結果として放送受信装置に送信するようにした。
本発明によれば、受信中の放送番組で放送されたコンテンツに関連する関連情報を取得し、その一部を検索キーとして用いてコンテンツ検索サーバで検索結果を得ることにより、ある程度想像がつく限られたものではなく多様性を持った検索結果を得ることが可能となる通信方法、通信端末装置及び通信プログラムを実現できる。
【図面の簡単な説明】図１は、本発明の情報提供システムの全体構成を示す略線図である。
図２は、ラジオ局の構成を示す略線的ブロック図である。
図３は、関連情報提供サーバの構成を示す略線的ブロック図である。
図４は、ＣＤ販売業者サーバの構成を示す略線的ブロック図である。
図５は、クライアント端末の回路構成を示す略線的ブロック図である。
図６は、コンテンツのディレクトリ管理の説明に供する略線図である。
図７は、クライアント端末のプログラムモジュールを示す略線図である。
図８は、ラジオ番組の楽曲に関連した楽曲情報のクリッピング処理シーケンスを示す略線図である。
図９は、ＣＤの楽曲に関連した楽曲情報のクリッピング処理シーケンスを示す略線図である。
図１０は、クリッピング情報データベースのデータ構造を示す略線図である。
図１１は、楽曲情報の階層化構造の説明に供する略線図である。
図１２は、連鎖削除の説明に供する略線図である。
図１３は、関連情報を用いた検索シーケンスを示す略線図である。
図１４は、本実施の形態における音楽関連サービス提供システムの全体構成を示す略線図である。
図１５は、クライアント端末の機能回路ブロックによるハードウェア構成を示すブロック図である。
図１６は、ポータルサーバの機能回路ブロックによるハードウェア構成を示すブロック図である。
図１７は、音楽データ配信サーバの機能回路ブロックによるハードウェア構成を示すブロック図である。
図１８は、物販サーバの機能回路ブロックによるハードウェア構成を示すブロック図である。
図１９は、ラジオ放送情報配信サーバの機能回路ブロックによるハードウェア構成を示すブロック図である。
図２０は、クライアント端末及びポータルサーバ間のユーザ認証処理手順を示すシーケンスチャートである。
図２１は、クライアント端末及び音楽データ配信サーバ間のユーザ認証処理手順を示すシーケンスチャートである。
図２２は、音楽データ配信サービス提供処理手順を示すシーケンスチャートである。
図２３は、物販サービス提供処理手順を示すシーケンスチャートである。
図２４は、ラジオ放送情報（オンエアリスト情報）配信サービス提供処理手順（１）を示すシーケンスチャートである。
図２５は、ラジオ放送情報（ナウオンエア情報）配信サービス提供処理手順（２）を示すシーケンスチャートである。
【符号の説明】
１……情報提供システム、２……ネットワーク、ＲＳ……ラジオ局、ＫＳ……関連情報提供サーバ、３１……ＣＤ販売業者サーバ、１０００……音楽関連サービス提供システム、１００２……クライアント端末、１００３……ポータルサーバ、１００４……音楽データ配信サーバ、１００５……物販サーバ、１００６……ラジオ放送情報配信サーバ、１００７……インターネットラジオサーバ、１００８……課金サーバ
【発明を実施するための最良の形態】  以下、図面について、本発明の一実施の形態を詳述する。
（１）第１の実施の形態
（１−１）情報提供システムの全体構成
図１に示すように、１は全体として本発明を構成する情報提供システムを示し、クライアント端末ＣＴはラジオ局ＲＳからの放送を受信する。
情報提供システム１では、当該ラジオ局ＲＳと専用線接続されたコンピュータ構成の関連情報提供サーバＫＳがラジオ局ＲＳに代わって当該ラジオ局ＲＳのホームページを開設しており、クライアント端末ＣＴからの取得要求に応じて当該ラジオ局ＲＳで放送した楽曲に関連する楽曲情報を関連情報としてインターネット等のネットワーク２を介して提供し得るようになされている。
また情報提供システム１は、ネットワーク２を介してＣＤ（Ｃｏｍｐａｃｔ  Ｄｉｓｃ）販売業者サーバ３１と接続されており、クライアント端末ＣＴから関連情報の一部として送られる検索キーに基づいて当該クライアント端末ＣＴのユーザが所望する楽曲のＣＤを検索し、その検索結果をネットワーク２を介してクライアント端末ＣＴへ提供するようになされている。
クライアント端末ＣＴは、ＣＤ販売業者サーバ３１から提供を受けた検索結果に基づいてユーザ所望のＣＤを当該ＣＤ販売業者サーバ３１から物販で購入する手続きがユーザにより行われた場合、そのＣＤを特定する固有のＣＤ番号をＣＤ販売業者サーバ３１へ送信する。
ＣＤ販売業者サーバ３１は、クライアント端末ＣＴから受信したＣＤ番号に対応するＣＤをユーザ宅に配送する販売手続きを行うと共に、クレジット決済処理についても実行するようになされている。
（１−１）ラジオ局ＲＳの構成
図２に示すようにラジオ局ＲＳは、ＣＰＵ（Ｃｅｎｔｒａｌ  Ｐｒｏｃｅｓｓｉｎｇ  Ｕｎｉｔ）でなる制御部７０がＲＯＭ（Ｒｅａｄ  Ｏｎｌｙ  Ｍｅｍｏｒｙ）７１及びＲＡＭ７２（Ｒａｎｄｏｍ  Ａｃｃｅｓｓ  Ｍｅｍｏｒｙ）を介して起動したＯＳ（Ｏｐｅｒａｔｉｎｇ  Ｓｙｓｔｅｍ）等の基本プログラム及び各種アプリケーションプログラムに基づいて全体を統括制御し、番組送出部７３からアンテナ７４を介してクライアント端末ＣＴへ番組を放送する番組放送処理等を行うようになされている。
またラジオ局ＲＳは、コンテンツデータベース７５に番組の中で放送する楽曲のコンテンツや予め収録しておいた番組のコンテンツを多数所有しており、当該番組を番組表に従って放送したり、その番組の中で必要に応じて楽曲のコンテンツを放送する。
そのときラジオ局ＲＳは、番組の中で楽曲を放送した旨をデータ通信処理部７６を介して関連情報提供サーバＫＳへ通知したり、また現在何の番組を放送しているのかを関連情報提供サーバＫＳへ通知するようになされている。
（１−１−２）関連情報提供サーバの構成
図３に示すように関連情報提供サーバＫＳは、ＣＰＵでなる制御部９０がＲＯＭ９１及びＲＡＭ９２を介して起動したＯＳ等の基本プログラム及び各種アプリケーションプログラムに基づいて全体の制御や所定の演算処理等を行うようになされている。
この関連情報提供サーバＫＳは、例えばラジオ局ＲＳによって番組の中で放送された楽曲に関連した楽曲情報を楽曲情報データベース９３から探し出し、これを関連情報としてデータ通信処理部９５を介してクライアント端末ＣＴへ提供するようになされている。
また関連情報提供サーバＫＳは、ラジオ局ＲＳによって放送された番組に関連する例えば出演者、ＤＪ名、ジャンル等の番組情報を番組情報データベース９４から探し出し、これを関連情報としてデータ通信処理部９５を介してクライアント端末ＣＴへ提供するようになされている。
さらに関連情報提供サーバＫＳは、市販のＣＤに関するタイトル、アーティスト名、ジャンル、ＣＤ番号等のデータベース化したＣＤタイトル情報提供データベース９６を保有しており、クライアント端末ＣＴからの検索要求に応じて検索キーに基づくＣＤの検索結果を当該クライアント端末ＣＴへ提供するようになされている。
（１−１−３）ＣＤ販売業者サーバの構成
図４に示すようにＣＤ販売業者サーバ３１は、ＣＰＵでなる制御部１１０がＲＯＭ１１１及びＲＡＭ１１２を介して起動したＯＳ等の基本プログラム及び各種アプリケーションプログラムに基づいて全体の制御や所定の演算処理等を行うようになされている。
このＣＤ販売業者サーバ３１は、クライアント端末ＣＴから送られる検索キーに基づいて当該クライアント端末ＣＴのユーザが所望する楽曲のＣＤをＣＤ検索データベース１１３によって検索し、その検索結果であるＣＤ番号を、データ通信処理部１１５及びネットワーク２を順次介してクライアント端末ＣＴへ提供するようになされている。
その後ＣＤ販売業者サーバ３１は、クライアント端末ＣＴを介して当該ＣＤ番号に対応したＣＤを物販で購入するための手続きがユーザによって行われ、当該クライアント端末ＣＴからそのＣＤ番号を受信すると、当該ＣＤ番号に対応するＣＤをユーザ宅に配送する販売手続きと共に、課金データベース１１４によってクレジット決済処理を実行するようになされている。
（１−１−４）クライアント端末ＣＴの回路構成
図５に示すようにクライアント端末ＣＴのＣＰＵ１１は、バス１２を介して接続されたＲＯＭ１３から読み出してＲＡＭ２０に展開したＯＳ等の基本プログラム及び各種アプリケーションプログラムに基づき全体の制御や所定の演算処理等を行うようになされており、例えばネットワーク２を介した通信動作、ユーザからの入出力操作、メディアからのコンテンツ再生やラジオ局ＲＳからダウンロードしたコンテンツのハードディスクドライブ（ＨＤＤ）２１への書き込み及びその管理等を実行する。
操作入力部１５は、本体部の筐体表面やリモートコントローラ（図示せず）の各種操作子に対するユーザの操作に応じた入力情報を入力処理部１４へ送出し、当該入力処理部１４で所定の処理を施した後に操作コマンドとしてＣＰＵ１１へ送出し、当該ＣＰＵ１１で操作コマンドに応じた処理を実行するようになされている。
ディスプレイ１７は、例えば液晶ディスプレイ等の表示デバイスが本体部の筐体表面に直接取り付けられている場合や、外付けの表示デバイスであってもよく、ＣＰＵ１１による処理結果や各種情報を表示するようになされている。
メディアドライブ１９は、例えばＣＤ（Ｃｏｍｐａｃｔ  Ｄｉｓｃ）プレーヤ及びフラッシュメモリ等でなるメモリスティック（登録商標）を再生するドライブであって、再生結果をオーディオデータ処理部２４を介してディジタルアナログ変換処理した後に２ｃｈのスピーカ２５から出力するようになされている。
なおＣＰＵ１１は、メディアドライブ１９を介して再生したデータが楽曲のオーディオコンテンツである場合、オーディオデータファイルとしてハードディスクドライブ２１に記憶することも可能である。
さらにＣＰＵ１１は、メディアドライブ１９によってメモリスティック（登録商標）に記憶された複数枚の静止画を読み出し、これらを表示処理部１６を介してディスプレイ１７にスライドショーとして表示することもできる。
またＣＰＵ１１は、ハードディスクドライブ２１に記憶した複数の楽曲をランダムアクセスで読み出し、あたかもジュークボックスのようにユーザ所望の順番で再生して出力することも可能である。
チューナ部２７は、例えばＡＭ、ＦＭラジオチューナであって、ＣＰＵ１１の制御に基づいてアンテナ２６で受信した放送信号を復調し、その結果を放送音声としてオーディオデータ処理部２４を介してスピーカ２５から出力する。
通信処理部２２は、ＣＰＵ１１の制御に基づいて送信データのエンコード処理を行い、ネットワークインタフェース２３を介してネットワーク２経由で外部のネットワーク対応機器へ送信したり、当該ネットワークインタフェース２３を介して外部のネットワーク対応機器から受信した受信データのデコード処理を行い、ＣＰＵ１１へ転送するようになされている。
（１−１−５）コンテンツのディレクトリ管理
クライアント端末ＣＴのＣＰＵ１１は、ハードディスクドライブ２１に対してコンテンツを記憶する際、図６に示すディレクトリ構成で管理するようになされている。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザなどに対応して作成されるようになされている。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトルごとに対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツについてのディレクトリ管理は、ハードディスクドライブ２１に記憶されているデータベースファイルによって行われるようになされている。
（１−１−６）クライアント端末ＣＴのプログラムモジュール構成
図７に示すようにクライアント端末ＣＴのプログラムモジュールとしては、ＯＳ上で動作するようになされており、具体的にはＣＤの物販を行うＣＤ販売業者サーバ３１、インターネットラジオサーバ３２、音楽配信運営サーバ３３、総合サービスサーバ３４、関連情報提供サーバＫＳ他の各種サーバとの間でやりとりを行う。
ＨＴＴＰ（Ｈｙｐｅｒ  Ｔｅｘｔ  Ｔｒａｎｓｆｅｒ  Ｐｒｏｔｏｃｏｌ）メッセージプログラムは、ＣＤ販売業者サーバ３１や、各種総合サービスを行う総合サービスサーバ３４及び関連情報提供サーバＫＳ等の各種サーバとの間のやりとりをＨＴＴＰ通信で行うものであり、コミュニケータプログラム３７は、総合サービスサーバ３４等と各種通信を行う通信モジュールである。
コミュニケータプログラム３７の上位には、コンテンツのコーデックを解釈して再生するコンテンツ再生モジュール３８、著作権保護に関する情報を取り扱う著作権保護情報管理モジュール３９が位置し、そのコンテンツ再生モジュール３８、著作権保護情報管理モジュール３９に対してインターネットラジオの選局及び再生を行うインターネットラジオ選局再生モジュール４３、楽曲購入及び試聴曲の再生を司る楽曲購入再生モジュール４４がそれぞれ位置している。
それらインターネットラジオ選局再生モジュール４３、楽曲購入再生モジュール４４の上位にはＸＭＬ（ｅＸｔｅｎｓｉｂｌｅ  Ｍａｒｋｕｐ  Ｌａｎｇｕａｇｅ）ブラウザ５０が位置し、各種サーバからのＸＭＬファイルを解釈し、、ディスプレイ１７に対して画面表示を行う。
例えば、ＸＭＬブラウザ５０を介してユーザに選択された楽曲は楽曲購入再生モジュール４４で購入され、ハードディスクコンテンツコントローラ４２を介してハードディスクドライブ２１に書き込まれる。
なおコミュニケータプログラム３７には、ライブラリ４７の認証ライブラリ４７Ａが接続されており、当該認証ライブラリ４７Ａによって総合サービスサーバ３４やその他の各種サーバの認証処理を行うようになされている。
さらにコミュニケータプログラム３７の上位には、データベースアクセスモジュール４０、コンテンツデータアクセスモジュール４１及びハードディスクコンテンツコントローラ４２が位置する。
このデータベースアクセスモジュール４０は、ハードディスクドライブ２１に構築された各種データベースにアクセスし、コンテンツデータアクセスモジュール４１はハードディスクドライブ２１に格納されたコンテンツにアクセスし、ハードディスクコンテンツコントローラ４２はハードディスクドライブ２１に格納されたコンテンツを管理するようになされている。
ハードディスクコンテンツコントローラ４２の上位には、ラジオ局ＲＳが放送した楽曲のタイトル及びアーティスト名を表示するための関連情報表示モジュール４５や、ラジオ局ＲＳを選局したり、当該ラジオ局ＲＳから受信した楽曲のコンテンツをハードディスクドライブ２１に録音するチューナ選局再生／録音モジュール４６が位置している。
例えば、オーディオユーザインタフェース５１を介して選局されたラジオ局ＲＳから受信した楽曲は、コンテンツデータアクセスモジュール４１を介してハードディスクドライブ２１へ書き込まれるようになされている。
関連情報表示モジュール４５は、チューナ選局再生／録音モジュール４６によって現在ラジオ局ＲＳが放送している楽曲のタイトルやアーティスト名を関連情報として関連情報提供サーバＫＳからＨＴＴＰメッセージ３６経由で受信し、これをオーディオユーザインタフェース（ＵＩ）５１を介してディスプレイ１７に表示する。
なおオーディオユーザインタフェース５１を介してディスプレイ１７に表示した関連情報は、ライブラリ４７のクリップライブラリ４７Ｂに一時的に記憶することもでき、ユーザからの指示に従って最終的にはデータベースアクセスモジュール４０を介してハードディスクドライブ２１へ記憶されるようになされている。
さらにクライアント端末ＣＴのプログラムモジュールとしては、ＣＤを再生するためのＣＤ再生モジュール４８と、ハードディスクドライブ２１を再生するためのＨＤＤ再生モジュール４９とが含まれており、再生結果をオーディオデータ処理部２４及びスピーカ２５を介して出力する。
（１−２）関連情報のクリッピング処理シーケンス
次に、クライアント端末ＣＴがラジオ局ＲＳの番組の中で放送された楽曲に関連した楽曲情報を関連情報として関連情報提供サーバＫＳから取得してクリッピングする場合と、当該関連情報提供サーバＫＳに予め構築されているＣＤタイトル情報提供データベース９６の中から所望のＣＤに関連した楽曲情報を関連情報として取得してクリッピングする場合とに分けて、関連情報のクリッピング処理シーケンスを説明する。
（１−２−１）番組の楽曲に関連した楽曲情報のクリッピング処理シーケンス
次に、ラジオ局ＲＳが番組の中で放送した楽曲に関連した楽曲情報を関連情報としてクリッピングするクリッピング処理手順について図８を用いて説明する。
ステップＳＰ１においてラジオ局ＲＳは、現番組の放送を開始すると、次のステップＳＰ２へ移り、現番組の中で楽曲Ａの放送を開始すると、当該楽曲Ａの放送開始を関連情報提供サーバＫＳへ通知する。
このときステップＳＰ１１において関連情報提供サーバＫＳは、複数種類の楽曲に関するタイトル、アーティスト名、当該楽曲が収録されているＣＤの名称やＣＤ番号等の楽曲に関連した楽曲情報を楽曲情報データベース９３（図３）にデータベース化して保有しており、ラジオ局ＲＳから通知された当該楽曲Ａに関連した楽曲情報をクライアント端末ＣＴへの提供対象とするため、以前保持していた楽曲情報を楽曲Ａに関連した楽曲情報に更新し、次のステップＳＰ１２へ移る。
ところでステップＳＰ２１においてクライアント端末ＣＴは、ラジオ局ＲＳがステップＳＰ１で放送した番組を受信して聴取し、その番組の中で放送された楽曲Ａについても受信して聴取し、次のステップＳＰ２２へ移る。
ステップＳＰ２２においてクライアント端末ＣＴは、その楽曲Ａに関連したタイトル、アーティスト名等の楽曲情報の取得要求を３０秒間隔で関連情報提供サーバＫＳへ送信することによりポーリングを行い、次のステップＳＰ２３へ移る。
このときステップＳＰ１２において関連情報提供サーバＫＳは、クライアント端末ＣＴからの取得要求に応じて、現在提供対象として保持している楽曲Ａの楽曲情報をクライアント端末ＣＴへネットワーク２を介して提供し、次のステップＳＰ１３へ移る。
これによりクライアント端末ＣＴは、関連情報提供サーバＫＳから提供された楽曲Ａの楽曲情報を関連情報としてディスプレイ１７に表示することにより、番組で放送された楽曲Ａのタイトル、アーティスト名等の楽曲情報を関連情報としてユーザに認識させ得るようになされている。
なお、本発明における楽曲情報には、タイトル、アーティスト名の他に、ＣＤ番号や当該楽曲Ａを放送した供給元であるラジオ局ＲＳを特定するための放送局識別情報やその楽曲が収録されている記録媒体を特定する媒体識別情報についても含まれている。
ステップＳＰ２３においてクライアント端末ＣＴは、前回の取得要求から３０秒間を経過したので関連情報提供サーバＫＳへ楽曲情報の取得要求を再度行う。
このときステップＳＰ１３において関連情報提供サーバＫＳは、再度楽曲Ａの楽曲情報をクライアント端末ＣＴへネットワーク２を介して提供する。
クライアント端末ＣＴでは、関連情報提供サーバＫＳによって現在提供対象として保持している楽曲Ａの楽曲情報が次に放送される楽曲の楽曲情報に更新されない限り、楽曲Ａの楽曲情報を取得することになり、更新されるまでディスプレイ１７に楽曲Ａの楽曲情報を関連情報として表示する。ここで、関連情報提供サーバＫＳによる楽曲情報の提供方法については、第２の実施の形態として後述する。
ステップＳＰ２４においてクライアント端末ＣＴは、関連情報提供サーバＫＳから提供を受けた楽曲Ａの楽曲情報を関連情報としてハードディスクドライブ２１にクリッピングし、次のステップＳＰ２５へ移る。
ステップＳＰ２５においてクライアント端末ＣＴは、楽曲Ａの楽曲情報に続いて楽曲Ｂ、楽曲Ｃ、……、の楽曲情報を関連情報として関連情報提供サーバＫＳから取得し、これらについてもハードディスクドライブ２１にクリッピングすることによって楽曲の関連情報に関するクリッピング情報データベースを構築するようになされている。
（１−２−２）ＣＤの楽曲に関連した楽曲情報のクリッピング処理シーケンス
次に、クライアント端末ＣＴが関連情報提供サーバＫＳに予め構築されているＣＤタイトル情報提供データベース９６の中から所望のＣＤに関連した楽曲情報を関連情報としてクリッピングするクリッピング処理手順について図９を用いて説明する。
ステップＳＰ３１においてクライアント端末ＣＴは、ディスプレイ１７に表示した選択画面（図示せず）上でメディアドライブ１９を介して再生しようとする楽曲のＣＤを選択し、次のステップＳＰ３２へ移る。
ステップＳＰ３２においてクライアント端末ＣＴは、選択画面を介して選択された楽曲のＣＤをメディアドライブ１９によって再生する。
ステップＳＰ３３においてクライアント端末ＣＴは、メディアドライブ１９によって再生したＣＤに関連する関連情報の取得要求を関連情報提供サーバＫＳに対して行い、次のステップＳＰ３４へ移る。
このときステップＳＰ４１において関連情報提供サーバＫＳは、予め構築されているＣＤタイトル情報提供データベース９６によりクライアント端末ＣＴからの取得要求に応じたＣＤの関連情報を検索し、その検索結果を当該クライアント端末ＣＴへ提供する。
ここでＣＤタイトル情報提供データベース９６によって検索した関連情報には、タイトル、アーティスト名の他に、ＣＤ番号や当該ＣＤであることを示す媒体識別情報も含まれている。なお媒体識別情報の対象としては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）やメモリスティック（登録商標）等が他にも種々存在する。
ステップＳＰ３４においてクライアント端末ＣＴは、関連情報提供サーバＫＳからＣＤの関連情報を取得してハードディスクドライブ２１にクリッピングし、次のステップＳＰ３５へ移る。
ステップＳＰ３５においてクライアント端末ＣＴは、選択画面でＣＤを選択する度に関連情報提供サーバＫＳからＣＤの関連情報を取得してハードディスクドライブ２１にクリッピングすることにより、複数のＣＤの関連情報からなるクリッピング情報データベースを構築するようになされている。
（１−２−３）クリッピング情報データベースのデータ構造
図１０に示すように、クリッピング情報データベース１２０には、楽曲情報の内容であるクリッピング日、関連情報供給元、アーティスト名、タイトル及び媒体識別情報等がカラムとして含まれたテーブル１２１（実表）が格納されている。
このテーブル１２１（実表）には、例えばクリッピング日として年月日、関連情報供給元としてラジオ局を特定する放送局識別情報やＣＤタイトル情報提供データベース、アーティスト名としてアーティスト１、アーティスト２、……、タイトルとして曲名やアルバム名及び媒体識別情報としてＣＤ、ＤＶＤ又はＭＳ（メモリスティック（登録商標））等のメディア名が登録されている。
なお、メディア名の欄は、何も記載されていないときは何れのメディアにも収録されていない未だ未発表の楽曲の楽曲情報であることを示している。
このクリッピング情報データベース１２０に格納されているテーブル１２１（実表）は、ＣＰＵ１１によりディスプレイ１７に対してビュー表１２１として画面表示される。
ここで、テーブル１２１に登録されている、例えば「０３／０８／０６、ＴＦＭ、アーティスト１、曲名１、ＣＤ」は、「２００３年８月６日にラジオ局ＲＳ（ＴＦＭ）からアーティスト１の曲名１の楽曲が放送され、その楽曲が収録されている記録媒体はＣＤである」ことを表している。
また、例えば「０３／０８／０５、ＣＤＤＢ、アーティスト２、曲名２、ＤＶＤ」は、「２００３年８月５日に、アーティスト２の曲名２の楽曲情報が関連情報提供サーバＫＳのＣＤＤＢによって検索されて提供されたものであり、その楽曲は収録されている記録媒体はＤＶＤである」ことを表している。
なおクリッピング情報データベース１２０では、テーブル１２１の楽曲情報を階層化して管理することもできる。
例えば、図１１（Ａ）に示すように、楽曲Ａの楽曲情報、楽曲Ｂの楽曲情報及び楽曲Ｃの楽曲情報にそれぞれラジオ番組の「番組名」が含まれており、それぞれに対して共通の番組名「番組○△」というキーワードが存在する場合、「番組○△」のキーワードを楽曲Ａの楽曲情報、楽曲Ｂの楽曲情報及び楽曲Ｃの楽曲情報に対する上位ディレクトリとして階層化することが可能である。
同様に、楽曲Ｄの楽曲情報に対して番組名「番組□×」のキーワードを上位ディレクトリとして階層化することが可能であり、楽曲Ｅの楽曲情報及び楽曲Ｆの楽曲情報に対して番組名「番組△□」のキーワードを上位ディレクトリとして階層化することが可能である。
また図１１（Ｂ）に示すように、楽曲Ｇの楽曲情報、楽曲Ｈの楽曲情報及び楽曲Ｉの楽曲情報にそれぞれＣＤアルバムの「アルバム名」が含まれており、それぞれに対して共通のＣＤアルバム「ＣＤアルバム１」というキーワードが存在する場合、「ＣＤアルバム１」のキーワードを楽曲Ｇの楽曲情報、楽曲Ｈの楽曲情報及び楽曲Ｉの楽曲情報に対する上位ディレクトリとして階層化することが可能である。
同様に、楽曲Ｊの楽曲情報に対してＣＤアルバム「ＣＤアルバム２」のキーワードを上位ディレクトリとして階層化することが可能であり、楽曲Ｋの楽曲情報及び楽曲Ｌの楽曲情報に対してＣＤアルバム「ＣＤアルバム３」のキーワードを上位ディレクトリとして階層化することが可能である。
従ってクライアント端末ＣＴのＣＰＵ１１は、クリッピング情報データベース１２０の楽曲情報を階層化した状態でディスプレイ１７に表示することもできるので、ユーザに対して多数の楽曲情報の中から所望の楽曲情報を容易に見つけ出させることができるようになされている。
さらにクリッピング情報データベース１２０では、楽曲情報を共通のキーワードを用いた階層化構造として管理することができるので、図１２に示すように、クライアント端末ＣＴのＣＰＵ１１は上位ディレクトリの例えば「番組○△」ディレクトリを削除する命令に対して、当該「番組○△」ディレクトリに含まれる楽曲Ａの楽曲情報、楽曲Ｂの楽曲情報及び楽曲Ｃの楽曲情報を同時に削除し得るようになされている。
（１−３）関連情報を用いた検索シーケンス
次に、クライアント端末ＣＴが所定の通信プログラムに従い、ＣＤ販売業者サーバ３１に対して行う関連情報を用いた検索シーケンスについて図１３を用いて説明する。
ステップＳＰ５１においてクライアント端末ＣＴは、ハードディスクドライブ２１に構築したクリッピング情報データベース１２０から所望の楽曲情報を関連情報として読み出し、次のステップＳＰ５２へ移る。例えばこの所望の楽曲情報とは、ユーザ所望の楽曲情報であり、クライアント端末ＣＴに対するユーザの操作により選択されたものとすることができる。
ステップＳＰ５２においてクライアント端末ＣＴは、クリッピング情報データベース１２０から読み出した関連情報のうち一部を検索キーとしてＣＤ販売業者サーバ３１へ送信することにより検索要求を行い、次のステップＳＰ５３へ移る。
ここでクライアント端末ＣＴは、関連情報の一部に相当する例えばアーティスト名、関連情報供給元である放送局識別情報としてのラジオ局名かＣＤＤＢ９６、媒体識別情報としてメディア名を検索キーとしてＣＤ販売業者サーバ３１へ送信する。
ステップＳＰ６１においてＣＤ販売業者サーバ３１は、クライアント端末ＣＴから送られたアーティスト名、関連情報供給元や媒体識別情報を検索キーとして、当該検索キーと何らかの関係を有する複数種類のＣＤを検索し、その検索結果をクライアント端末ＣＴへ送信し、次のステップＳＰ６２へ移る。
ここでＣＤ販売業者サーバ３１では、アーティスト名に基づいて当該アーティストが過去に発売した全部のＣＤを検索し、関連情報供給元としてラジオ局名（ラジオ局ＲＳ）が検索キーに含まれている場合には当該ラジオ局ＲＳによってその日に番組の中で放送した楽曲が収録されている全部のＣＤを検索し、そのアーティスト名及びラジオ局名の双方による検索結果をクライアント端末ＣＴへ送信する。
なおＣＤ販売業者サーバ３１は、関連情報供給元としてラジオ局名（ラジオ局ＲＳ）が検索キーに含まれている場合には、クライアント端末ＣＴが取得した関連情報の関連情報供給元がラジオ局のホームページであることを認識し得るようになされている。
またＣＤ販売業者サーバ３１は、関連情報供給元としてＣＤタイトル情報提供データベースが検索キーに含まれている場合には、クライアント端末ＣＴが取得した関連情報の関連情報供給元がＣＤタイトル情報提供データベース９６であることを認識し得るようになされている。
ステップＳＰ５３においてクライアント端末ＣＴは、ＣＤ販売業者サーバ３１からの検索結果の中から所望のＣＤのＣＤ番号を選択し、そのＣＤ番号を基にＣＤ販売業者サーバ３１に対して購入手続きを行う。
このときＣＤ販売業者サーバ３１からの検索結果には、アーティスト名だけによる検索結果ではなく、ラジオ局ＲＳによってその日の番組の中で放送した楽曲が収録されている全部のＣＤまでもが含まれた多様な検索結果であるため、その多様な検索結果の中からであればユーザ所望のＣＤを見つけられる可能性が格段に高くなっている。
またクライアント端末ＣＴのユーザは、検索結果の中に媒体識別情報としてその楽曲の収録されている記録媒体がＣＤ、ＤＶＤ又はメモリスティック（登録商標）であるのか、若しくは未だ未発表のものであるのかについても認識することができるので、その後の購入手続きを行うか否かを容易に決定することができる。
ステップＳＰ６２においてＣＤ販売業者サーバ３１は、クライアント端末ＣＴから購入手続きされたＣＤ番号を受信すると、当該ＣＤ番号に対応するＣＤをユーザ宅に配送する販売手続きと共に、課金データベース１１４によってクレジット決済処理を実行し、次のステップＳＰ６３へ移る。
ステップＳＰ６３においてＣＤ販売業者サーバ３１は、ステップＳＰ６１で関連情報供給元が「ラジオ局ＲＳ」であると認識した場合、そのＣＤが販売できたことはラジオ局ＲＳの番組の中で放送された楽曲をクライアント端末ＣＴのユーザが聴取したことが契機となっていると判断し得、その販売結果をラジオ局ＲＳへ報告する。
これによりラジオ局ＲＳは、その楽曲のＣＤが販売につながったことは番組の中で放送されたことが契機となっているというマーケット情報として集計することができたり、あるいはＣＤ販売業者サーバ３１からＣＤ販売による利益の数パーセントをマージンとして受け取る等のビジネスモデルをＣＤ販売業者サーバ３１との間で構築することも可能となる。
このようにＣＤ販売業者サーバ３１は、関連情報の一部として、少なくともアーティスト名に加えて、関連情報供給元としてラジオ局名やＣＤタイトル情報提供データベース９６、媒体識別情報としてメディア名を用い、これらを検索キーとしてＣＤ販売業者サーバ３１へ送信することにより、当該ＣＤ販売業者サーバ３１ではアーティスト名とラジオ局名による多様性を持ったＣＤの検索結果をクライアント端末ＣＴへ提供し得ると共に、関連情報供給元を示す放送局識別情報や媒体識別情報を多様な用途に活用し得るようになされている。
（１−４）動作及び効果
以上の構成において、情報提供システム１のクライアント端末ＣＴは、関連情報提供サーバＫＳからラジオ局ＲＳのホームページを介して番組の中で放送された楽曲の楽曲情報をハードディスクドライブ２１にクリッピングすることによりクリッピング情報データベース１２０を構築する。
またクライアント端末ＣＴは、関連情報提供サーバＫＳの楽曲情報データベース９３に構築されているＣＤＤＢ９６によって検索したＣＤの関連情報をハードディスクドライブ２１にクリッピングすることによりクリッピング情報データベース１２０を構築する。
その後、クライアント端末ＣＴは、クリッピング情報データベース１２０から関連情報を読み出し、そのうちの一部であるアーティスト名と関連情報供給元や媒体識別情報とを検索キーとしてＣＤ販売業者サーバ３１へ送信することにより、当該ＣＤ販売業者サーバ３１によって検索キーに何らかの関係を有するＣＤを検索させ、その検索結果をＣＤ販売業者サーバ３１から得ることができる。
このとき得られた検索結果は、検索キーの一つであるアーティスト名と直接関係のあるＣＤだけではなく、ラジオ局ＲＳのホームページを介して関連情報提供サーバＫＳからクリッピングして得た関連情報供給元（ラジオ局名）と何らかの関係を有するＣＤをも有する多様性を持つものである。
このため、アーティスト名やタイトルといったＣＤと直接関係のある検索キーだけで検索したときの検索結果と比較して、本発明による検索結果の方が幅が広く、ユーザ所望のＣＤが見つかる可能性が格段に高い。
またＣＤ販売業者サーバ３１は、ラジオ局ＲＳのホームページを介して関連情報提供サーバＫＳからクリッピングして得た関連情報供給元（ラジオ局名）が検索キーの一部に含まれているので、その検索結果に基づいてＣＤを購入したクライアント端末ＣＴのユーザがラジオ局ＲＳの番組で放送された楽曲を聴取したことをきっかけに当該ＣＤが販売されたことを容易に判別し得、そのラジオ局ＲＳに対してマージンを支払う等のビジネスモデルの構築に関連情報の多様性を有効利用することもできる。
以上の構成によれば、情報提供システム１のクライアント端末ＣＴは、関連情報提供サーバＫＳからクリッピングした関連情報の一部として、アーティスト名だけでなく、番組の中で楽曲を放送したラジオ局名についても関連情報供給元として検索キーに用い、当該検索キーを基にＣＤ販売業者サーバ３１によってＣＤの検索結果を得ることにより、ユーザにとってある程度想像がつく限られたものではなく、所望のＣＤが見つかる可能性の高い多様性を持った検索結果をユーザに提供することができる。
なお本実施の形態においては、クライアント端末ＣＴが、ラジオ局ＲＳから現在放送されている楽曲Ａを受信している際に、その楽曲Ａの関連情報として、アーティスト名、タイトル等を含む楽曲情報を、関連情報提供サーバに要求して取得する場合について述べたが、本発明はこれに限らず、その楽曲Ａの関連情報として、楽曲Ａを識別するための楽曲識別情報（コンテンツ識別情報）を含む楽曲情報を、関連情報提供サーバに要求して取得するようにしても良い。
この場合クライアント端末ＣＴは、上述のステップＳＰ５２において、関連情報の中の楽曲識別情報を、検索キーとしてＣＤ販売業者サーバ３１へ送信する。このときＣＤ販売業者サーバ３１は、クライアント端末ＣＴからの楽曲識別情報を検索キーとして、当該検索キーと何らかの関係を有する複数種類のＣＤを検索し、その検索結果をクライアント端末ＣＴへ送信する。
（２）第２の実施の形態
次に、関連情報提供サーバＫＳによる楽曲情報の提供方法を、第２の実施の形態として詳細に説明する。まず、第１の実施の形態の情報提供システム１に相当する音楽関連サービス提供システム１０００を説明する。なおこの音楽関連サービス提供システム１０００は、ポータルサーバ１００３と、各種サービスサーバ１００４〜１００７からなり、シングルサインオンが可能なシステムである。また第１の実施の形態の関連情報提供サーバＫＳは、例えばラジオ放送情報配信サーバ１００６に相当する。またＣＤ販売業者サーバ３１は、例えば物販サーバ１００５に相当する。またクライアント端末ＣＴは、クライアント端末１００２に相当する。
（２−１）システム構成
図１４において、１０００は全体として音楽関連サービス提供システムを示し、この音楽関連サービス提供システム１０００の運営業者と契約しているユーザのクライアント端末１００２と、当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（２−２）クライアント端末１００２の構成
（２−２−１）クライアント端末１００２の機能回路ブロック構成
次にクライアント端末１００２の機能回路ブロックによるハードウェア構成を説明する。図１５に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
（２−３）ポータルサーバ１００３の機能回路ブロック構成
次に、図１６を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（２−４）音楽データ配信サーバ１００４の機能回路ブロック構成
次に、図１７を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（２−５）物販サーバ１００５の機能回路ブロック構成
次に、図１８を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（２−６）ラジオ放送情報配信サーバ１００６の機能回路ブロック構成
次に、図１９を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（２−７）各サーバの処理概要
次に図２０乃至図２５に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（２−７−１）クライアント端末１００２及びポータルサーバ１００３間のユーザ認証処理手順
まず図２０を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッショシＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信されたユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信されたその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信された、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（２−７−２）クライアント端末１００２及び各サーバ１００４乃至１００６間のユーザ認証処理手順
次に、図２１において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図２０について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信されたサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとしで認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信されたユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信された認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
（２−７−３）音楽関連サービス提供処理
続いて図２２乃至図２５において、図２１について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（２−７−３−１）音楽データ配信サービス提供処理手順
まず図２２を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用のページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に対し一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５により、クライアント端末１００２に対し発行していたサービスセッションＩＤ情報等の有効期限を延長させて、次のステップＳＰ１０３３に移る。
ズテップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、その音楽データ配信サーバ１００４から受信したサービスセッションＩＤ情報等を認証処理部１０３７に送出する。
認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（２−７−３−２）物販サービス提供処理手順
次に図２３を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用のページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に対し一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５により、クライアント端末１００２に対し発行していたサービスセッションＩＤ情報等の有効期限を延長させて、次のステップＳＰ１０４３に移る。
そしてステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に対し一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（２−７−３−３）オンエアリスト情報配信サービス提供処理手順
次に図２４を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対し発行していたサービスセッションＩＤ情報等の有効期限を延長させて、次のステップＳＰ１０６３に移る。
そしてステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（２−７−３−４）ナウオンエア情報配信サービス提供処理手順
次に図２５を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０において、クライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、そのクライアント端末１００２から受信したユーザＩＤ情報及びパスワード情報等を認証処理部１０５６に送出する。
認証処理部１０５６は、制御部１０５０の制御のもと、クライアント端末１００２から受信されたユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そして制御部１０５０は、このように認証処理部１０５６によりユーザが正規ユーザであると認証されると、次のステップＳＰ１０７２に移る。
ステップＳＰ１０７２において、制御部１０５０は、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索してリスト化し読み出す。
これにより制御部１０５０は、周波数情報記憶部１０５８からリスト化して読み出した周波数情報、ラジオ局名及びコールサインを、上述のステップＳＰ１０７１において認証処理部１０５６によリクライアント端末１００２に対して発行された認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
これにより認証処理部１０３７は、制御部１０２３の制御のもと、ポータルサーバ１００３から受信された認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５に対しそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において、制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
従って音声制御部１０２６は、チューナ部１０３１から与えられる音声データをアナログ音声信号に変換してスピーカ１０２７に送出することにより当該スピーカ１０２７から、選択されたラジオ番組の音声を出力させることができる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッショシＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
またラジオ放送表示制御部１０３９は、制御部１０２３の制御のもとに、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもとに、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図２１について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図２１について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもとに再び、記憶媒体１０２９等に一時記憶していたＵＲＬ情報に従ってナウオンエア情報要求信号を、すでにラジオ放送情報配信サーバ１００６から受信して認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
これにより認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そして制御部１１１０は、認証処理部１１１５により、クライアント端末１００２を利用するユーザが正規ユーザであると認証されると、当該認証処理部１１１５により、そのクライアント端末１００２に対し発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
これにより認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に対し、現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
以上の構成によれば、この第２の実施の形態においても、上述の第１の実施の形態と同様の効果を得ることができる。
ところで第１の実施の形態として説明したプログラムモジュールにおいてＨＴＴＰメッセージプログラム３６及びコミュニケータプログラム３７は、図１５について上述したクライアント端末１００２の通信制御部１０３２と同様の機能を実現可能なプログラムモジュールである。
またコンテンツ再生モジュール３８は、図１５について上述したクライアント端末１００２のエンコーダ／デコーダ部１０３４と同様の機能を実現可能なプログラムモジュールである。
さらに著作権保護管理モジュール３９は、図１５について上述したクライアント端末１００２の著作権管理部１０３５と同様の機能を実現可能なプログラムモジュールである。
さらにインターネットラジオ選局再生モジュール４３は、図１５について上述したクライアント端末１００２の制御部１０２３及び音声制御部１０２６と同様の機能を実現可能なプログラムモジュールである。
さらに楽曲購入再生モジュール４４は、図１５について上述したクライアント端末１００２の制御部１０２３及び音声制御部１０２６と同様の機能を実現可能なプログラムモジュールである。
さらにＸＭＬブラウザ５０は、図１５について上述したクライアント端末１００２の入力処理部１０２１及びページ情報生成部１０３６と同様の機能を実現可能なプログラムモジュールである。
さらにハードディスクコンテンツコントローラ４２及びデータベースアクセスモジュール４０並びにコンテンツデータアクセスモジュール４１は、図１５について上述したクライアント端末１００２の制御部１０２３と同様の機能を実現可能なプログラムモジュールである。
さらにライブラリ４７の認証ライブラリ４７Ａは、図１５について上述したクライアント端末１００２の認証処理部１０３７及び認証情報記憶部１０３８と同様の機能を実現可能なプログラムモジュールである。
さらにライブラリ４７のクリップライブラリ４７Ｂは、図１５について上述したクライアント端末１００２の制御部１０２３と同様の機能を実現可能なプログラムモジュールである。
さらに関連情報表示モジュール４５は、図１５について上述したクライアント端末１００２のラジオ放送表示制御部１０３９と同様の機能を実現可能なプログラムモジュールである。
さらにチューナ選局再生／録音モジュール４６は、図１５について上述したクライアント端末１００２の制御部１０２３及び音声制御部１０２６並びにチューナ部１０３１と同様の機能を実現可能なプログラムモジュールである。
さらにオーディオユーザインタフェース５１は、図１５について上述したクライアント端末１００２の入力処理部１０２１及び制御部１０２３並びに表示制御部１０２４と同様の機能を実現可能なプログラムモジュールである。
さらにＣＤ再生モジュール４８は、図１５について上述したクライアント端末１００２の音声制御部１０２６及び外部記録媒体記録再生部１０２８と同様の機能を実現可能なプログラムモジュールである。
さらにＨＤＤ再生モジュール４９は、図１５について上述したクライアント端末１００２の制御部１０２３及び音声制御部１０２６と同様の機能を実現可能なプログラムモジュールである。
すなわち、上述の第１の実施の形態におけるハードウェア回路ブロック構成のクライアント端末ＣＴでも、ＣＰＵ１１が各種プログラムモジュールを使って、この第２の実施の形態における機能回路ブロック構成のクライアント端末１００２と同様の処理を実行することができる。
ところで、上述の第１の実施の形態の関連情報提供サーバＫＳ（図３）では、制御部９０がＲＯＭ９１等に記憶されている各種プログラムに従って各回路部を制御することにより、ラジオ放送情報配信サーバ１００６（図１９）の通信制御部１１１２、認証処理部１１１５、検索部１１１８等と同様の機能を実現するようにもなされている。また関連情報提供サーバＫＳ（図３）のＣＤタイトル情報提供データベース９６、楽曲情報データベース９３、番組情報データベース９４は、制御部９０の制御の下、ラジオ放送情報配信サーバ１００６（図１９）のページ情報記憶部１１１６、認証情報記憶部１１２０、顧客データベース部１１１４、ナウオンエア情報記憶部１１１９、オンエアリスト情報記憶部１１１７等と同様の機能を実現するようにもなされている。
また、上述の第１の実施の形態のＣＤ販売業者サーバ３１（図４）では、ＣＰＵ１１０がＲＯＭ１１１等に記憶されている各種プログラムに従って各回路部を制御することにより、物販サーバ１００５（図１８）の通信制御部１０９２、認証処理部１０９５、検索部１０９９等と同様の機能を実現するようにもなされている。またＣＤ販売業者サーバ３１（図４）のＣＤ検索データベース１１３、課金データベース１１４は、ＣＰＵ１１０の制御の下、物販サーバ１００５（図１８）の認証情報記憶部１０９７、パッケージメディア情報記憶部１０９８、ページ情報記憶部１０９６、顧客データベース部１０９４等と同様の機能を実現するようにもなされている。
（３）他の実施の形態
なお上述の実施の形態においてクライアント端末ＣＴは、関連情報の一部であるアーティスト名と関連情報供給元や媒体識別情報を検索キーとしてＣＤ販売業者サーバ３１へ送信することにより多様性のある検索結果を得るようにした場合について述べたが、本発明はこれに限らず、アーティスト名に代えて若しくはアーティスト名と共にタイトルを検索キーとして送信するようにしても良い。
また上述の実施の形態においては、ＣＤ販売業者サーバ３１が関連情報の一部である関連情報供給元（ラジオ局名）を販売結果報告としてラジオ局ＲＳへ報告するようにした場合について述べたが、本発明はこれに限らず、ラジオ局名以外のテレビ局名やインターネットラジオ局名、ＥＭＤ（Ｅｌｅｃｔｒｏｎｉｃ  Ｍｕｓｉｃ  Ｄｉｓｔｒｉｂｕｔｉｏｎ）を行っているＷｅｂサイト名等の他の種々のコンテンツ提供手段に対して関連情報供給元を送信するようにしても良い。
さらに上述の実施の形態においては、ＣＰＵ１１がＲＯＭ１３に予め格納された通信プログラムをＲＡＭ２０上に展開し、当該通信プログラムに従って上述の関連情報を用いた検索シーケンスを実行するようにした場合について述べたが、本発明はこれに限らず、通信プログラムが格納されたプログラム格納媒体をクライアント端末ＣＴにインストールすることにより検索シーケンスを実行できるようにしても良い。
さらに上述の実施の形態においては、クリッピング情報データベース１２０によってテーブル１２１の楽曲情報を階層化して管理するようにした場合について述べたが、本発明はこれに限らず、ＣＤ販売業者サーバ３１から提供されたＣＤの検索結果に対しても階層化して管理し、ビュー表示するようにしても良い。これによりユーザは、多様化された他種類の検索結果のビュー表示の中から所望のＣＤを一段と容易に検索することが可能となる。
さらに上述の実施の形態においては、ＣＤの関連情報を関連情報提供サーバＫＳに構築されたＣＤタイトル情報提供データベース９６から取得するようにした場合について述べたが、本発明はこれに限らず、クライアント端末ＣＴのハードディスクドライブ２１に予めＣＤタイトル情報提供データベースを構築して格納しておき、そこから取得するようにしても良い。
さらに上述の実施の形態においては、ＣＤの関連情報を関連情報提供サーバＫＳに構築されたＣＤタイトル情報提供データベース９６から取得するようにした場合について述べたが、本発明はこれに限らず、ネットワーク上に構築された専用のＣＤタイトル情報提供サーバ（図示せず）に直接アクセスし、そこから取得するようにしても良い。
さらに上述の実施の形態においては、本発明の通信端末装置としてのクライアント端末ＣＴを、要求手段としてのＣＰＵ１１及び通信処理部２２、関連情報取得手段としてのＣＰＵ１１及びハードディスクドライブ２１、検索手段としてのＣＰＵ１１及び通信処理部２２によって構成するようにした場合について述べたが、本発明はこれに限らず、その他種々の回路構成で通信端末装置を構成するようにしても良い。
さらに上述の実施の形態においては、クライアント端末１００２、ＣＴが受信可能な放送としてラジオ局から放送されるラジオ放送を適用したが、これに限らず、クライアント端末１００２、ＣＴがインターネットラジオ放送や衛星ラジオ放送を受信して、その関連情報（ラジオ放送情報）を取得するようにしたり、或いはテレビジョン放送局から放送されるテレビジョン放送を受信し、そのテレビジョン放送のテレビジョン番組に関する各種放送情報等をネットワーク上のサーバから取得するようにしてもよい。
さらに上述の実施の形態においては、ハードウェア回路ブロック、機能回路ブロック及びプログラムモジュールをクライアント端末１００２、ＣＴに実装した場合について述べたが、本発明はこれに限らず、これらを携帯電話機やパーソナルコンピュータ等、クライアント端末１００２、ＣＴ以外の種々の端末に実装するようにしてもよく、これらハードウェア回路ブロック、機能回路ブロック及びプログラムモジュールを実装した端末であれば、上述したクライアント端末１００２、ＣＴと同様の処理を実現することができる。
さらに上述の実施の形態においては、第１のサーバとしてラジオ放送情報配信サーバ１００６（関連情報提供サーバＫＳ）を適用し、第２のサーバとして物販サーバ１００５（ＣＤ販売業者サーバ３１）を適用し、第３のサーバとしてポータルサーバ１００３を適用する場合について述べたが、本発明はこれに限らずこの他種々の構成を適用するようにしても良い。
産業上の利用の可能性
本発明の通信方法は、例えば放送された番組の楽曲に関連した関連情報からＣＤを検索する用途に適用することができる。
【図１】
2005015794.tif 000003
【図２】
2005015794.tif 000004
【図３】
2005015794.tif 000005
【図４】
2005015794.tif 000006
【図５】
2005015794.tif 000007
【図６】
2005015794.tif 000008
【図７】
2005015794.tif 000009
【図８】
2005015794.tif 000010
【図９】
2005015794.tif 000011
【図１０】
2005015794.tif 000012
【図１１】
2005015794.tif 000013
【図１２】
2005015794.tif 000014
【図１３】
2005015794.tif 000015
【図１４】
2005015794.tif 000016
【図１５】
2005015794.tif 000017
【図１６】
2005015794.tif 000018
【図１７】
2005015794.tif 000019
【図１８】
2005015794.tif 000020
【図１９】
2005015794.tif 000021
【図２０】
2005015794.tif 000022
【図２１】
2005015794.tif 000023
【図２２】
2005015794.tif 000024
【図２３】
2005015794.tif 000025
【図２４】
2005015794.tif 000026
【図２５】
2005015794.tif 000027
【国際調査報告】
2005015794.tif 000028
2005015794.tif 000029
2005015794.tif 000030
2005015794.tif 000031